(57)【要約】【課題】ユーザが初心者であっても熟練者であっても共に使い易いユーザインタフェースを実現できる画像形成装置を提供する。【解決手段】タッチ操作による設定が可能な表示操作部（１０）を備え、選択された動作モードに応じた動作設定を行なう動作設定ユーザインタフェースを備える画像形成装置（１）において、動作設定ユーザインタフェースとして、表示操作部（１０）の表示部（１１）のシステム領域（１１１）に選択された動作モードを示すアイコン（１２１）を表示する第１ユーザインタフェースモードと、システム領域（１１１）に動作モードを選択可能な動作モード切換えボタン（１３１，１３２，１３３）を表示する第２ユーザインタフェースモードを備えるとともに、第１ユーザインタフェースモードと第２ユーザインタフェースモードとを切換えるアイコン（１５）を備えることを特徴とするものである。【選択図】図７
2014078159.tif 000002
【特許請求の範囲】
【請求項１】
タッチ操作による設定が可能な表示操作部を備え、複数の動作モードを有し、特定の動作モードが選択されると、選択された動作モードに応じた動作設定を前記表示操作部で行なう動作設定ユーザインタフェースを備える画像形成装置において、
前記動作設定ユーザインタフェースは、
前記表示操作部の一部の表示領域に、選択された動作モードを示すアイコンを表示する機能を備える第１ユーザインタフェースモードと、
前記表示操作部の一部の表示領域に、動作モードを選択可能な動作モード切換えボタンを表示する機能を備える第２ユーザインタフェースモードを備えるとともに、
前記第１ユーザインタフェースモードと前記第２ユーザインタフェースモードとを切換えるユーザインタフェースモード切換え機能を備えることを特徴とする画像形成装置。
【請求項２】
前記第１ユーザインタフェースモードは、前記表示操作部に前記画像形成装置の動作状態をアイコン表示する表示領域を備え、
前記第２ユーザインタフェースモードは、前記表示操作部に前記画像形成装置の動作状態をアイコン表示する表示領域に代えて、動作モードを選択可能なモード切換えボタンを表示する表示領域を備えることを特徴とする請求項１に記載の画像形成装置。
【請求項３】
前記第１ユーザインタフェースモードは、前記動作モードを示すアイコンを操作することで、その他の動作モードを含む処理機能を選択可能なショートカットインターフェースに切換える機能を備えることを特徴とする請求項１または２に記載の画像形成装置。
【請求項４】
前記動作設定ユーザインタフェースは、ログインユーザに対応して前記第１ユーザインタフェースモードまたは前記第２ユーザインタフェースモードを設定する機能を備えることを特徴とする請求項１から３のうちの何れか一項に記載の画像形成装置。
【発明の詳細な説明】
【技術分野】
【０００１】
本発明は、画像形成装置に係り、特に、動作モードの動作設定を行う動作設定ユーザインタフェースを備える画像形成装置に関する。
【背景技術】
【０００２】
近年、画像形成装置として、印刷機能のみを備えるプリンタ、印刷機能に加えてスキャナ機能やＦａｘ送信機能、Ｅ−Ｍａｉ１送信機能などのデータ送信機能を備えた複合機や、ＭＦＰ（多機能周辺装置）等がある。
【０００３】
このような画像形成装置では、印刷機能、スキャナ機能、Ｆａｘ送信機能、Ｅ−Ｍａｉ１送信機能などの機能を実行するために複数の動作モードが設定されている。
【０００４】
そして、このような画像形成装置を利用する場合は、例えば、ユーザが操作部や表示部を備えた操作パネルにより所望の機能を実行するための動作モードを選択して、選択された動作モードにおいて様々な指示を入力して、画像形成装置により様々な機能を実行するように構成されている。
すなわち、この操作パネルが画像形成装置とユーザとのインタフェース（ユーザインタフェース）として機能している。
【０００５】
従来技術として、例えば、ユーザインタフェースとして機能する操作機器において、情報を表示するための表示手段と、入力するための入力手段と、表示手段に特定情報を表示するための表示制御手段とを備え、入力手段として操作を特定する複数の操作ボタン（ハードウェアボタン）を備えることを特徴とするものが開示されている（特許文献１を参照）。
【０００６】
これによれば、ユーザは、操作機器において、複数の操作ボタンの中から特定した操作ボタンを選択することで、初期画面情報、ヘルプ情報、モード選択情報等の特定の情報を的確かつ容易に表示させることができる。
【０００７】
また、その他の技術として、表示手段を備えた画像形成装置において、表示手段の構成要素としてタッチパネルを用いてユーザインタフェースを実現するものが提案されている（特許文献２を参照）。この画像形成装置は、タッチパネルに複数の機能バッジが表示され、その機能バッジをタッチすることで設定項目を切換えるように構成されている。
これによれば、ユーザの所望する機能を容易に見つけることができる。
【先行技術文献】
【特許文献】
【０００８】
【特許文献１】特開２０１１−１７１９６０号公報
【特許文献２】特開２０１２−６８７０２号公報
【発明の概要】
【発明が解決しようとする課題】
【０００９】
しかしながら、上述した特許文献に記載された技術では、ユーザに応じて、操作ボタンやタッチパネルに表示された機能バッジをタッチすることでユーザが操作するユーザインタフェースを切換えることができるが、他のユーザがその状態のままの状態で操作しようとすると操作が困難になる場合があった。特に、ユーザが初心者である場合と熟練者である場合とではユーザインタフェースの設定により操作性に大きく影響を及ぼすという問題があった。
【００１０】
本発明は、上記従来の問題点に鑑みてなされたものであって、画像形成装置において、ユーザが初心者であっても熟練者であっても共に使い易いユーザインタフェースを実現できる画像形成装置を提供することを目的とする。
【課題を解決するための手段】
【００１１】
上述した課題を解決するための本発明に係る画像形成装置は、次の通りである。
【００１２】
本発明は、タッチ操作による設定が可能な表示操作部を備え、複数の動作モードを有し、特定の動作モードが選択されると、選択された動作モードに応じた動作設定を前記表示操作部で行なう動作設定ユーザインタフェースを備える画像形成装置において、前記動作設定ユーザインタフェースとして、前記表示操作部の一部の表示領域に、選択された動作モードを示すアイコンを表示する機能を備える第１ユーザインタフェースモード(初心者モード)と、前記表示操作部の一部の表示領域に、動作モードを選択可能な動作モード切換えボタンを表示する機能を備える第２ユーザインタフェースモード（熟練者モード）を備えるとともに、前記第１ユーザインタフェースモードと前記第２ユーザインタフェースモードとを切換えるユーザインタフェースモード切換え機能を備えることを特徴とするものである。
【００１３】
また、本発明は、前記第１ユーザインタフェースモードとして、前記表示操作部に前記画像形成装置の動作状態をアイコン表示する表示領域を備え、前記第２ユーザインタフェースモードとして、前記表示操作部に前記画像形成装置の動作状態をアイコン表示する表示領域に代えて、動作モードを選択可能な動作モード切換えボタンを表示する表示領域を備えることが好ましい。
【００１４】
また、本発明は、前記第１ユーザインタフェースモードとして、前記動作モードを示すアイコンを操作することで、その他の動作モードを含む処理機能を選択可能なショートカットインターフェースに切換える機能を備えることが好ましい。
【００１５】
また、本発明は、前記動作設定ユーザインタフェースとして、ログインユーザに対応して前記第１ユーザインタフェースモードまたは前記第２ユーザインタフェースモードを設定する機能を備えることが好ましい。
【発明の効果】
【００１６】
本発明の画像形成装置によれば、タッチ操作による設定が可能な表示操作部を備え、複数の動作モードを有し、特定の動作モードが選択されると、選択された動作モードに応じた動作設定を前記表示操作部で行なう動作設定ユーザインタフェースを備える画像形成装置において、前記動作設定ユーザインタフェースとして、前記表示操作部の一部の表示領域に、選択された動作モードを示すアイコンを表示する機能を備える初心者モードとして第１ユーザインタフェースモードと、前記表示操作部の一部の表示領域に、動作モードを選択可能な動作モード切換えボタンを表示する機能を備える熟練者モードとして第２ユーザインタフェースモードを備えるとともに、前記第１ユーザインタフェースモードと前記第２ユーザインタフェースモードとを切換えるユーザインタフェースモード切換え機能を備えることで、ユーザが初心者であっても熟練者であっても共に使い易いユーザインタフェースを実現できる。
【図面の簡単な説明】
【００１７】
【図１】本発明の第１実施形態に係る画像形成装置を構成する表示操作部の構成を示す説明図である。
【図２】前記画像形成装置の構成をブロック図で示す説明図である。
【図３】前記画像形成装置の表示操作部を構成する表示部に表示されたホーム画面の一例を示す説明図である。
【図４】前記画像形成装置の動作設定ユーザインタフェースの第１ユーザインタフェースモードにおける初心者用設定画面の表示例を示す説明図である。
【図５】前記画像形成装置の動作設定ユーザインタフェースにおける第２ユーザインタフェースモードの熟練者用設定画面の表示例を示す説明図である。
【図６】前記動作設定ユーザインタフェースにおけるサブモード選択ユーザインタフェースとしての設定画面の表示例を示す説明図である。
【図７】（ａ）は前記画像形成装置の動作設定ユーザインタフェースにおける第１ユーザインタフェースモードで表示される設定画面の状態遷移を示す説明図、（ｂ）は前記動作設定ユーザインタフェースにおける第２ユーザインタフェースモードで表示される設定画面の状態遷移を示す説明図である。
【図８】前記画像形成装置の各動作モードにおける設定・処理操作を示すフローチャートである。
【図９】本発明の第２実施形態に係る画像形成装置の動作設定ユーザインタフェースにおけるショートカットユーザインタフェースとしての設定画面の表示例を示す説明図である。
【図１０】第２実施形態に係る画像形成装置の動作設定ユーザインタフェースにおける第１ユーザインタフェースモードで表示される設定画面の状態遷移を示す説明図である。
【図１１】（ａ）は第４実施形態に係る画像形成装置の動作設定ユーザインタフェースにおける第１ユーザインタフェースモードで表示される設定画面の状態遷移を示す説明図、（ｂ）は前記動作設定ユーザインタフェースにおける第２ユーザインタフェースモードで表示される設定画面の状態遷移を示す説明図である。
【発明を実施するための形態】
【００１８】
（第１実施形態）
以下、本発明の画像形成装置を実施するための形態について図面を参照して説明する。
図１は発明を実施する形態の一例であって、本発明の第１実施形態に係る画像形成装置を構成する表示操作部の構成を示す説明図、図２は前記画像形成装置の構成をブロック図で示す説明図、図３は前記画像形成装置の表示操作部を構成する表示部に表示されたホーム画面の一例を示す説明図である。
【００１９】
第１実施形態に係る画像形成装置１、図１に示すように、タッチ操作による設定が可能な表示操作部１０を備え、複数の動作モードを有し、特定の動作モードが選択されると、選択された動作モードに応じた動作設定を表示操作部１０で行なう動作設定ユーザインタフェースを備える画像形成装置１において、本発明に係る画像形成装置の特徴的な構成を採用したものである。
【００２０】
まず、第１実施形態に係る画像形成装置１の概略構成について説明する。
画像形成装置１は、図１、図２に示すように、主に、表示部１１と入力部１２と操作キー（ハードキー）１３とを具備する表示操作部１０、原稿読取部２０、画像形成部３０、通信部４０及び記憶部５０と、それぞれの構成部を制御する制御部６０とを備えて構成されている。
【００２１】
表示部１１は、画像（情報）を表示するためのもので、例えば、バックライト付きの液晶表示装置（ＬＣＤ）を備えて構成され、入力部１２の下側に重ねて構成される。
【００２２】
入力部１２は、ユーザからの入力を検出するもので、例えば、透明な電極を設けた透明なシートを対向させて設け、その接触により電圧を測定し、入力位置を検出するアナログ抵抗膜方式のタッチパネルを備えて構成され、表示部１１の上に重ねて設けられる。
【００２３】
操作キー１３は、表示部１１における入力部１２とは別体で構成されて、ユーザが直接入力操作するハードウエアキーである。
【００２４】
この表示部１１、入力部１２や操作キー１３を備える表示操作部１０により動作設定のユーザインタフェース（以下、「動作設定ユーザインタフェース」と称する。）が構成される。
【００２５】
通信部４０は、ネットワークを介して外部の端末装置等に接続されて、端末装置等から送信された印刷ジョブを受信するものである。印刷ジョブの通信には、ＬＰＲ（Line Printer daemon protocol）やＦＴＰ(File Transfer Protocol)等を利用することができる。
【００２６】
記憶部５０は、ＨＤＤなどより構成されるメモリである。
制御部６０は、図示していないＲＯＭ、ＲＡＭに格納されているプログラムを実行し、ＲＡＭを作業領域として使用するように構成される。
【００２７】
画像形成装置１は、コピー、ＦＡＸ等の複数の動作モードを備えている。
画像形成装置１において、各動作モードを実行する場合は、図３に示すように、表示操作部１０の表示部１１に表示されるホーム画面１１０を表示させて、その画面上でユーザの所望する動作モードのアイコンをタッチ操作により選択して、動作モードに対応した設定画面に切換えて利用する。
【００２８】
表示操作部１０において、表示部１１の表示領域のタッチパネルによる入力部１２の外側近傍には、ハードウエアキーであるホームキー（操作キー）１３ａが配置されている。
ホームキー１３ａを押下操作することで、表示部１１にホーム画面１１０が表示されるようになっている。
【００２９】
ホーム画面１１０には、コピー、ＦＡＸ等のそれぞれの動作モードに対応した動作モード切換えアイコン１４が表示されている。
【００３０】
ホーム画面１１０において、コピー、ＦＡＸ等の動作モード切換えアイコン１４のうちからユーザの所望する動作モードのボタンを選択してタッチ操作することで、動作モードを選択することができる。
【００３１】
ここで、第１実施形態の画像形成装置１の特徴的な動作設定ユーザインタフェースについて説明する。
図４は第１実施形態の画像形成装置の動作設定ユーザインタフェースの第１ユーザインタフェースモードにおける初心者用設定画面の表示例を示す説明図、図５は前記画像形成装置の動作設定ユーザインタフェースにおける第２ユーザインタフェースモードの熟練者用設定画面の表示例を示す説明図、図６は前記動作設定ユーザインタフェースにおけるサブモード選択ユーザインタフェースとしての設定画面の表示例を示す説明図である。
【００３２】
第１実施形態の画像形成装置１では、動作設定ユーザインタフェースにおいて、初心者モードとしての第１ユーザインタフェースモードと、熟練者モードとしての第２ユーザインタフェースモードを備えている。
【００３３】
第１ユーザインタフェースモードは、初心者向けのユーザインタフェースとして、図４に示すように、表示部１１の表示領域の上部のシステム領域１１１に、選択された動作モードを示すアイコン１２１が表示される初心者用設定画面１２０を用いて動作設定を行う。
【００３４】
表示部１１において、図３に示すように、ホーム画面１１０から１つの動作モード（ここではコピーモード）が選択されると、図４に示すように、第１ユーザインタフェースモードにおけるコピーモードの動作設定を行なう初心者用設定画面１２０が提供される。
【００３５】
第１ユーザインタフェースモードにおける初心者用設定画面１２０のシステム領域１１１には、コピーモードにおいて、通信中等の装置状態（ステータス）を表示するステータス表示領域１１２が設けられている。このステータス表示領域１１２には、ＦＡＸやネットワークにおける「通信中」の装置状態を示すアイコン１２２と、プリンタの運転状態を示すアイコン１２３が表示されている。
【００３６】
ステータス表示領域１１２では、外部の端末機（ＰＣ）から印字ジョブが送信されてから印字出力完了まで、動作中であることが判るように表示が変化するようになっている。
【００３７】
初心者用設定画面１２０の右側下部には、処理動作を実行させる操作キーは表示されている。符号２１は白黒印刷を実行させるための白黒スタートキー、符号２２はカラー印刷を実行させるためのカラースタートキーである。
【００３８】
第２ユーザインタフェースモードは、熟練者向けのユーザインタフェースとして、図５に示すように、表示部１１の表示領域の上部のシステム領域１１１に、動作モードを選択可能な動作モード切換えボタン１３１，１３２，１３３等が表示される熟練者用設定画面１３０を用いて動作設定を行う。
【００３９】
第１ユーザインタフェースモード及び第２ユーザインタフェースモードにおける初心者用設定画面１２０及び熟練者用設定画面１３０においては、表示部１１のシステム領域１１１には、第１ユーザインタフェースモードと第２ユーザインタフェースモードとを切換えるユーザインタフェースモード切換えボタン（ユーザインタフェースモード切換え機能）として機能するアイコン１５が表示されている。このアイコン１５は、第１ユーザインタフェースモードと第２ユーザインタフェースモードとの何れのモードにおいてもシステム領域１１１（第１実施形態では図中左側端部）に表示されている。
【００４０】
第１実施形態では、制御部６０は、表示部１１の一部の表示領域に、第１ユーザインタフェースモードの初心者用設定画面１２０と第２ユーザインタフェースモードの熟練者用設定画面１３０と切換えるユーザインタフェースモード切換えボタンとして機能するアイコン１５により選択的に表示するように構成されている。
【００４１】
図４に示す初心者用設定画面１２０において、アイコン１５を操作することにより、表示画面の上端に位置するシステム領域１１１が、現在の動作モードを表記するアイコン１２１とステータス表示領域１１２に代わって、図５に示すように、動作モードが変更可能な動作モード切換えボタン１３１，１３２，１３３が表示される第２ユーザインタフェースモードの熟練者用設定画面１３０に切り換わる。
そして、再度アイコン１５を操作すると、元の初心者用設定画面１２０に戻る。
【００４２】
なお、図５に示すように、熟練者用設定画面１３０において、ファックスの動作モード切換えボタン１３２をタッチ操作して動作モードをファックスモードに設定し、ファックスモード（イメージ送信）に設定した状態で、再度ファックスの動作モード切換えボタン１３２をタッチすると、図６に示すように、ファックスモードにおけるサブモード選択ユーザインタフェースとしてのサブモード選択画面１４０が表示される。
【００４３】
図６中の符号２３は熟練者用設定画面１３０におけるファックスモード時のファックス処理を実行させるためのスタートキーである。
【００４４】
サブモード選択画面１４０には、ファックス、Ｅ−ｍａｉｌ等の送信方法に対応した動作モード切換えアイコン１６が表示されている。
【００４５】
サブモード選択画面１４０において、ファックス、Ｅ−ｍａｉｌ等の送信方法に対応した動作モード切換えアイコン１６のうちからユーザが所望する動作モードのボタンを選択してタッチ操作することで送信方法の選択が可能となる。
【００４６】
次に、動作設定ユーザインタフェースにおける各動作モードにおけるユーザインタフェースの状態遷移について図面を参照して説明する。
図７（ａ）は第１実施形態の画像形成装置の動作設定ユーザインタフェースにおける第１ユーザインタフェースモードで表示される設定画面の状態遷移を示す説明図、（ｂ）は前記動作設定ユーザインタフェースにおける第２ユーザインタフェースモードで表示される設定画面の状態遷移を示す説明図である。
【００４７】
まず、画像形成装置１の動作設定ユーザインタフェースにおける初心者向けの第１ユーザインタフェースモードで動作設定する時の、動作モードに応じた設定画面の切換え操作について説明する。
【００４８】
第１ユーザインタフェースモードにおいて動作モードを設定する場合は、図７（ａ）に示すように、表示部１１にホーム画面１１０を表示して、動作モード切換えアイコン１４（図３参照）の中からコピーモード、ファックスモードまたはドキュメントファイリングモード等を選択操作することで、図７（ａ）中の破線矢印で示すようにコピーモード用の設定画面１２０Ｃ、ファックスモード用の設定画面１２０Ｆ、ドキュメントファイリングモード用の設定画面１２０Ｄ等のうち選択された動作モードの設定画面が表示される。
【００４９】
そして、動作モードを変更する場合は、表示操作部１０のホームキー１３ａ（図３参照）を押すことで図７（ａ）中の実線矢印で示すように各動作モードの設定画面からホーム画面１１０に切り換る。そして、ホーム画面１１０で所望の動作モードを選択する。
【００５０】
次に、熟練者向けの第２ユーザインタフェースモードで動作設定する時の、動作モードに応じた設定画面の切換え操作について説明する。
【００５１】
第２ユーザインタフェースモードにおいて動作モードを設定する場合は、第１ユーザインタフェースモードの場合と同様に、動作モードを変更する場合はホーム画面１１０に切換えて行えるとともに、初心者向けの第１ユーザインタフェースモードの状態で、設定画面上のアイコン１５を押ことで、第２ユーザインタフェースモードの熟練者用設定画面１３０に移行することができる。
【００５２】
そして、第２ユーザインタフェースモードの熟練者用設定画面１３０において、動作モード切換えボタン１３１，１３２，１３３等を選択操作することで、図７（ｂ）中の太い実線矢印で示すようにコピーモード用の設定画面１３０Ｃ、ファックスモード用の設定画面１３０Ｆ、ドキュメントファイリングモード用の設定画面１３０Ｄ等のうち選択された動作モードの設定画面が表示される。
なお、再度アイコン１５を押すと初心者用設定画面１２０に戻る。
【００５３】
次に、画像形成装置１の各動作モードにおける設定・処理操作についてフローチャートに沿って説明する。
図８は第１実施形態の画像形成装置の各動作モードにおける設定・処理操作を示すフローチャートである。
【００５４】
第１実施形態の画像形成装置１の各動作モードにおいて設定操作を行う場合は、図８に
示すように、まず、各動作モードにおける設定に係るキー操作が行われたか否かが判断される（ステップＳ１）。
【００５５】
ステップＳ１において、各動作モードにおける設定に係るキー操作が行われたと判断された場合は、ステップＳ３に進む。一方、ステップＳ２において、各動作モードにおける設定に係るキー操作が行われていないと判断された場合は、所定の設定を行い（ステップＳ２）、ステップＳ３に進む。
【００５６】
ステップＳ３では、スタートキー（例えば白黒スタートキー２１、カラースタートキー２２、スタートキー２３等）がオンされたか否かが判断される。
【００５７】
ステップＳ３において、スタートキーがオンされたと判断された場合は、設定された内容に基づく処理が実行され（ステップＳ４）、ステップＳ１に戻る。
一方、ステップＳ３において、スタートキーがオンされていないと判断された場合は、そのままステップＳ１に戻る。
このようにして、画像形成装置１の各動作モードにおける設定・処理操作が繰り返し実行される。
【００５８】
以上のように構成したので、第１実施形態によれば、タッチ操作による設定が可能な表示操作部１０を備え、複数の動作モードを有し、特定の動作モードが選択されると、選択された動作モードに応じた動作設定を表示操作部１０で行なう動作設定ユーザインタフェースを備える画像形成装置１において、動作設定ユーザインタフェースとして、表示操作部１０の表示部１１のシステム領域１１１に、選択された動作モードを示すアイコン１２１を表示する機能を備える初心者向けの第１ユーザインタフェースモードと、表示操作部１０の表示部１１のシステム領域１１１に、動作モードを選択可能な動作モード切換えボタン１３１，１３２，１３３等を表示する機能を備える熟練者向けの第２ユーザインタフェースモードを備えるとともに、第１ユーザインタフェースモードと第２ユーザインタフェースモードとを切換えるユーザインタフェースモード切換えボタンとして機能するアイコン１５を備えることで、ユーザが初心者であっても熟練者であっても共に使い易いユーザインタフェースを実現できる。
【００５９】
また、第１実施形態によれば、第１ユーザインタフェースモードの初心者用設定画面１２０において、システム領域１１１に装置状態（ステータス）を表示するステータス表示領域１１２を設け、ら画像形成装置１の動作状態をアイコン表示する表示領域を備え、ステータス表示領域１１２に、ＦＡＸやネットワークにおける「通信中」の装置状態を示すアイコン１２２と、プリンタの運転状態を示すアイコン１２３が表示するようにしたので、装置の動作状態を容易に確認することができる。
【００６０】
また、第１実施形態によれば、第２ユーザインタフェースモードの熟練者用設定画面１３０において、動作状態をアイコン表示するステータス表示領域１１２に代えて、動作モードを選択可能な動作モード切換えボタン１３１，１３２，１３３を表示する表示領域を備えることで、動作モードの切換え操作を簡単に行うことができる。
【００６１】
また、第１実施形態によれば、例えば、ファックスの動作モード切換えボタン１３２をタッチ操作して動作モードをファックスモードに設定し、ファックスモード（イメージ送信）に設定した状態で、再度ファックスの動作モード切換えボタン１３２をタッチすると、ファックスモードにおけるサブモード選択ユーザインタフェースとしてのサブモード選択画面１４０が表示されるようにしたので、設定操作をさらに容易に行うことができる。
【００６２】
（第２実施形態）
次に、本発明の第２実施形態について図面を参照して説明する。
図９は本発明の第２実施形態に係る画像形成装置の動作設定ユーザインタフェースにおけるショートカットユーザインタフェースとしての設定画面の表示例を示す説明図である。
【００６３】
本発明の第２実施形態は、図９に示すように、画像形成装置の第１ユーザインタフェースモードの初心者用設定画面２２０において、選択された動作モードを示すアイコン２２１にボタン機能を持たせたものである。
【００６４】
第２実施形態では、選択された動作モードを示すアイコン２２１にボタン機能として、図９に示すように、アイコン２２１をタッチ操作することで、動作モードを切換えるショートカットダイアログ１５０が初心者用設定画面２２０にオーバラップして表示するようにされている。
【００６５】
ショートカットダイアログ１５０には、ホーム画面やコピーモード、ファックスモード等への設定画面に切換える動作モード切換えアイコン１７が表示されている。
【００６６】
ショートカットダイアログ１５０において、ホーム画面やコピーモード、ファックスモード等への設定画面に切換える動作モード切換えアイコン１７のうちからユーザが所望する動作モードのボタンを選択してタッチ操作することで容易に動作モードの選択を行うことができる。
【００６７】
次に、第２実施形態の動作設定ユーザインタフェースにおける各動作モードにおけるユーザインタフェースの状態遷移について図面を参照して説明する。
図１０は第２実施形態に係る画像形成装置の動作設定ユーザインタフェースにおける第１ユーザインタフェースモードで表示される設定画面の状態遷移を示す説明図である。
【００６８】
まず、画像形成装置の動作設定ユーザインタフェースにおける第１ユーザインタフェースモードにおいて動作モードを設定する場合は、図１０に示すように、表示部１１にホーム画面１１０を表示して、動作モード切換えアイコン１４（図３参照）の中からコピーモード、ファックスモードまたはドキュメントファイリングモード等を選択操作することで、図１０中の破線矢印で示すようにコピーモード用の設定画面２２０Ｃ、ファックスモード用の設定画面２２０Ｆ、ドキュメントファイリングモード用の設定画面２２０Ｄ等のうち選択された動作モードの設定画面が表示される。
【００６９】
そして、動作モードを変更する場合は、表示操作部１０のホームキー１３ａ（図３参照）を押すことで図１０中の実線矢印で示すように各動作モードの設定画面からホーム画面１１０に切り換る。そして、ホーム画面１１０で所望の動作モードを選択する。
【００７０】
さらに、第２実施形態では、動作モードを表記するアイコン２２１をタッチすると、図１０中の太い実線矢印で示すように、ショートカットダイアログ１５０を表示し、図１０中の太い破線矢印で示すように、ショートカットダイアログ１５０内の動作モード切換えアイコン１７をタッチ操作することで他の動作モードに移行できる。
【００７１】
以上のように、第２実施形態によれば、画像形成装置の動作設定ユーザインタフェースにおける設定画面に表示される動作モードを示すアイコン２２１に、ボタン機能として、動作モードを切換えるショートカットダイアログ１５０を設定画面にオーバラップして表示するようにしたので、タッチパネルとして機能する表示部１１から指を離してホームキー１３ａに移動させることなく、所望する動作モードの設定画面に切換えることができるので、短時間で設定操作を行うことができる。
【００７２】
（第３実施形態）
次に、本発明の第３実施形態について説明する。
第３実施形態は、表示部１１に表示される設定画面上のシステム領域１１１に表示される動作モード切換えボタン１３１，１３２，１３３等の種類を、機器設定に基づいて切換えるようにしたものである。
【００７３】
このように構成することで、良く利用される動作モードをシステム領域１１１上に動作モード切換えボタンとして表示するよう設定できるので、使い勝手を良くすることができる。
【００７４】
また、変形例として、ログインユーザに応じてシステム領域１１１に表示する動作モード切換えボタンの種類を切換えるようにしてもよい。
【００７５】
それほど広くないシステム領域１１１に表示する動作モード切換えボタンは、頻度の高いものに絞る必要があるため、ログインユーザごとに動作モード切換えボタンの表示を切換えることで、ユーザごとに動作モードが利用し易い設定画面を提供することができる。
【００７６】
（第４実施形態）
次に、本発明の第４実施形態について図面を参照して説明する。
図１１（ａ）は第４実施形態に係る画像形成装置の動作設定ユーザインタフェースにおける第１ユーザインタフェースモードで表示される設定画面の状態遷移を示す説明図、（ｂ）は前記動作設定ユーザインタフェースにおける第２ユーザインタフェースモードで表示される設定画面の状態遷移を示す説明図である。
【００７７】
本発明の第４実施形態は、画像形成装置の設定操作時において、所定時間操作しない場合に、表示部１１の画面表示をオートクリア動作によりデフォルト画面に変更するようにしたものである。デフォルト画面としては、機器設定によりコピーモードの設定画面やホーム画面等を選択可能とするようにしてもよい。
【００７８】
ここで、画像形成装置の動作設定ユーザインタフェースにおける初心者向けの第１ユーザインタフェースモードで動作設定する時の、動作モードに応じた設定画面の切換え操作について説明する。
【００７９】
第１ユーザインタフェースモードにおいて動作モードを設定する場合は、図１１（ａ）に示すように、表示部１１にホーム画面１１０を表示して、動作モード切換えアイコン１４（図３参照）の中からコピーモード、ファックスモードまたはドキュメントファイリングモード等を選択操作することで、図１１（ａ）中の破線矢印で示すようにコピーモード用の設定画面４２０Ｃ、ファックスモード用の設定画面４２０Ｆ、ドキュメントファイリングモード用の設定画面４２０Ｄ等のうち選択された動作モードの設定画面が表示される。
【００８０】
そして、デフォルト画面をコピーモード用の設定画面４２０Ｃとした場合、ファックスモードやドキュメントファイリングモードにおいて、設定操作時に所定時間操作させずに放置されると、ファックスモード用の設定画面４２０Ｆやドキュメントファイリングモード用の設定画面４２０Ｄは、図１１（ａ）中の太い一点鎖線矢印で示すように、コピーモード用の設定画面４２０Ｃに遷移する。
【００８１】
次に、熟練者向けの第２ユーザインタフェースモードで動作設定する時の、動作モードに応じた設定画面の切換え操作について説明する。
【００８２】
第２ユーザインタフェースモードにおいて動作モードを設定する場合は、第１ユーザインタフェースモードの場合と同様に、動作モードを変更する場合はホーム画面１１０に切換えて行えるとともに、初心者向けの第１ユーザインタフェースモードの状態で、設定画面上のアイコン１５を押ことで、第２ユーザインタフェースモードの熟練者用設定画面１３０に移行することができる。
【００８３】
そして、第２ユーザインタフェースモードの熟練者用設定画面４３０において、動作モード切換えボタン１３１，１３２，１３３等を選択操作することで、図１１（ｂ）中の太い実線矢印で示すようにコピーモード用の設定画面４３０Ｃ、ファックスモード用の設定画面４３０Ｆ、ドキュメントファイリングモード用の設定画面４３０Ｄ等のうち選択された動作モードの設定画面が表示される。
【００８４】
そして、デフォルト画面をコピーモード用の設定画面４３０Ｃとした場合、ファックスモードやドキュメントファイリングモードにおいて、設定操作時に所定時間操作させずに放置されると、ファックスモード用の設定画面４３０Ｆやドキュメントファイリングモード用の設定画面４３０Ｄは、図１１（ｂ）中の太い一点鎖線矢印で示すように、コピーモード用の設定画面４３０Ｃに遷移する。
【００８５】
以上のように、第４実施形態によれば、画像形成装置の設定操作時において、所定時間操作しない場合に、表示部１１の画面表示をオートクリア動作によりデフォルト画面に変更するようにしたので、例えば、デフォルト画面を通常よく使用する動作モードの設定画面とすることで、動作モードの設定画面を戻す必要がないので、設定操作をスムーズに行うことができる。
【００８６】
以上のように、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【符号の説明】
【００８７】
１  画像形成装置
１０  表示操作部
１１  表示部
１２  入力部
１３  操作キー
１３ａ  ホームキー
１４，１６，１７  動作モード切換えアイコン
１５  アイコン（ユーザインタフェースモード切換え機能）
１１０  ホーム画面
１１１  システム領域
１２０，２２０  初心者用設定画面
１２０Ｃ，１２０Ｄ，１２０Ｆ  設定画面
１２１，１２２，１２３，２２１  アイコン
１３０，４３０  熟練者用設定画面
１３０Ｃ，１３０Ｄ，１３０Ｆ  設定画面
１３１，１３２，１３３  動作モード切換えボタン
１４０  サブモード選択画面
１５０  ショートカットダイアログ
２２０Ｃ，２２０Ｄ，２２０Ｆ  設定画面
４２０Ｃ，４２０Ｄ，４２０Ｆ  設定画面
４３０Ｃ，４３０Ｄ，４３０Ｆ  設定画面
【図１】
2014078159.tif 000003
【図２】
2014078159.tif 000004
【図３】
2014078159.tif 000005
【図４】
2014078159.tif 000006
【図５】
2014078159.tif 000007
【図６】
2014078159.tif 000008
【図７】
2014078159.tif 000009
【図８】
2014078159.tif 000010
【図９】
2014078159.tif 000011
【図１０】
2014078159.tif 000012
【図１１】
2014078159.tif 000013